(57)【要約】【課題】  メール本文に含まれた単語を元に提供する情報を選択し、メール本文中の単語にリンク情報として付加する事により、利用者に適切な情報の提供を行うリンク情報付加装置及びリンク情報付加方法を提供する。【解決手段】  メール機能を有する利用者端末から、メール受信要求があった場合、メールスプールから該当メールデータを取り出した後、取得したメールデータの文を形態素解析してメール文中に存在する単語を抽出する単語抽出部と、単語抽出部から抽出単語を受け取り、利用者個人情報記憶手段から抽出された、個人情報と併せて、検索条件のキーワードとして、情報素材記憶手段から提供情報を検索して抽出するリンク情報生成部と、メール文中に存在する、抽出単語に対してＨＴＭＬデータのリンクタブを付加するとともに、キーワード群をＵＲＬのパラメータとしてリンク先ＵＲＬに付加するＨＴＭＬデータ生成手段と、を有する。【選択図】  図１
2005267187.tif 000002
【特許請求の範囲】
【請求項１】
メール機能を有する利用者端末から、メール受信要求があった場合、メールスプールから当該メールデータを取り出した後、該メール文中にリンク情報を挿入して前記利用者端末に出力するメール生成手段を有することを特徴とするリンク情報付加装置。
【請求項２】
前記利用者端末は、ＰＯＰ又はＩＭＡＰプロトコルを利用してメールの購読を可能とする、移動体通信端末装置、コンピュータ、又はゲーム機器のうちのいずれかであることを特徴とする請求項１記載のリンク情報付加装置。
【請求項３】
前記メール生成手段は、前記メールスプールから取り出したメールデータを、該メール文中にリンクタグを付加したＨＴＭＬ形式のデータに変換することを特徴とする請求項１記載のリンク情報付加装置。
【請求項４】
前記メールスプールは、ＳＭＴＰプロトコルによりメールの送受信を行うＭＴＡが有する、前記利用者端末のメールスプールであることを特徴とする請求項１記載のリンク情報付加装置。
【請求項５】
前記メールスプールは、ＰＯＰ又はＩＭＡＰプロトコルによる、前記メール生成手段からの接続要求に対し、該当するメールデータを出力することを特徴とする請求項１又は４記載のリンク情報付加装置。
【請求項６】
前記利用者端末の利用者についての個人情報が登録されている利用者個人情報記憶手段をさらに有し、
前記個人情報は、前記利用者端末に提供すべき情報の検索条件として利用されることを特徴とする請求項１から５のいずれか１項に記載のリンク情報付加装置。
【請求項７】
前記利用者端末に提供する提供情報をオブジェクト毎に記憶する情報素材記憶手段をさらに有し、
前記提供情報は、
コンテンツ自体の一次情報と、該一次情報に付加され、前記個人情報を含む二次情報とで構成されることを特徴とする請求項１から６のいずれか１項に記載のリンク情報付加装置。
【請求項８】
前記メール生成手段は、
前記メールスプールから取得したメールデータの文を形態素解析して該メール文中に存在する単語を抽出する単語抽出部と、
前記単語抽出部から抽出単語を受け取り、前記利用者個人情報記憶手段から抽出された、前記個人情報と併せて、検索条件のキーワードとして、前記情報素材記憶手段から提供情報を検索して抽出するリンク情報生成部と、
前記メール文中に存在する、前記抽出単語に対してＨＴＭＬデータのリンクタブを付加するとともに、前記キーワード群をＵＲＬのパラメータとしてリンク先ＵＲＬに付加するＨＴＭＬデータ生成手段と、
を有することを特徴とする請求項１記載のリンク情報付加装置。
【請求項９】
前記利用者端末によって、前記メール生成手段により出力されたメール文上に存在するリンク先が選択された場合、前記情報素材記憶手段から提供情報を検索し、リンク先となるＨＴＭＬの出力データを生成するリンク先ＨＴＭＬ生成手段をさらに有することを特徴とする請求項１から８のいずれか１項に記載のリンク情報付加装置。
【請求項１０】
前記利用者端末によって、前記メール生成手段により出力されたメール文上に存在するリンク先が選択された場合、該リンク先のＵＲＬとともに、パラメータ情報を検索条件として、情報素材記憶手段から該当する提供情報を検索し抽出する情報抽出部と、
前記情報抽出部が抽出した前記提供情報から前記一次情報を抜き出して、ＨＴＭＬ文を生成するＨＴＭＬ文生成部と、
を有することを特徴とする請求項１から９のいずれか１項に記載のリンク情報付加装置。
【請求項１１】
利用者端末からメール受信要求を受け、メールサーバに対してメールデータの取得要求を行い、メールデータを取得し、
前記取得したメールデータに対し、形態素解析を行い、メール文中の所定の単語を複数抽出し、
前記利用者端末から接続してきた際のアカウントを基に、利用者の個人情報を利用者個人情報記憶手段から取得し、
前記抽出された単語のうちから１つを取り出し、
前記取り出した単語と、前記取得した個人情報とを検索条件として併せ、情報素材記憶手段に対して、前記検索条件に該当する提供情報が存在するかを検索し、
該当する提供情報が存在する場合、前記検索条件をリンクの為のリンク情報として記録し、
前記取り出された単語の検索処理が終わった後、その他の単語が存在するか確認し、
該当する情報素材データが存在しない場合は、その他の単語が存在するか確認し、
全ての単語に対して検索が終了したら、前記メール本文中から、リンク情報として候補が挙がった単語を検索し、
前記検索された単語をリンクタブで囲むことによって、該リンクタブを挿入し、
前記利用者端末に対し、前記リンクタブを挿入したメールデータの出力を行うことを特徴とするリンク情報付加方法。
【請求項１２】
前記形態素解析の際、前記リンクタブ内に既に存在する単語を抽出対象から除外することを特徴とする請求項１１記載のリンク情報付加方法。
【請求項１３】
前記利用者端末によって、前記リンクタブの接続要求が行われた場合、要求されたＵＲＬから変数を抽出し、該変数を元に、前記情報素材記憶手段から提供情報を検索して抽出し、
前記抽出された提供情報から、提供すべきコンテンツである一次情報を抽出してＨＴＭＬデータを生成し、
前記利用者端末に対し、前記生成されたＨＴＭＬデータの出力を行うことを特徴とする請求項１１又は１２記載のリンク情報付加方法。
【請求項１４】
前記検索結果、前記提供情報が複数存在する場合、前記一次情報を１つのＨＴＭＬデータに統合することを特徴とする請求項１３の記載のリンク情報付加方法。
【発明の詳細な説明】
【技術分野】
【０００１】
本発明は、電子メール本文中にリンク情報を付加することにより、利用者の要求に則した情報の提供を行うリンク情報付加装置及びリンク情報付加方法に関する。
【背景技術】
【０００２】
従来の情報提供の手段として、ダイレクトメールを例に説明する。ダイレクトメールは、不定期に情報を記載したメールを購読者に一斉送信するシステムである。しかし、ダイレクトメールの大部分は、利用者が本当に必要でない情報である事が多い。その為、最初の内はダイレクトメールの本文を読んでもらえるが、そのうち読まれなくなる傾向が高い。又、利用者の受信メールの一覧は、必要なメールと、ダイレクトメールが混在して表示されるため、利用者はメールの整理を行うことを要求される。結果として、ダイレクトメール自身に嫌悪感を示す事もある。
【０００３】
従来技術例として、受信電子メールの文中の特定の用語を抽出し、要約文を作成して表示する電子メール処理システムがある（例えば、特許文献１参照）。また、登録手続きやＵＲＬや個人ＩＤ、パスワード等の入力を行うことなく、容易に情報提供サービスを情報受給者が受けることができるようにする情報提供装置がある（例えば、特許文献２参照）。また、ユーザが電子メールで使用している文字や画像を情報や広告へリンクするためのキーとして登録するシステムがある（例えば、特許文献３参照）。
【特許文献１】特開２００１−３３９４２４号公報
【特許文献２】特開２００２−１６３２０３号公報
【特許文献３】特開２００２−３５１９２６号公報
【発明の開示】
【発明が解決しようとする課題】
【０００４】
しかしながら、従来のダイレクトメール等による広告や情報の提供方法は、利用者に対し、一方的に情報を配信する方式である。その為、利用者がその時点で要望している情報では必ずしもないため、提供された情報が閲覧される（リンク先のコンテンツが閲覧される）ことが少なかったり、逆に、利用者が望んでいる情報を提供できなかったりする状況が発生している。よって、従来は利用者が必要としている情報が提供されず、利用者に煩わしさを感じさせることがあった。
【０００５】
一方、上記特許文献１〜３記載の発明は、利用者の送付メールの文中（本文や題名文）から用語を抽出して、利用者の個人情報を基に、利用者に適したリンク情報を提供するものではない。
【０００６】
本発明は、上記事情に鑑みてなされたものであり、利用者が現時点で要望しているカテゴリを、メールの文中の単語によって判断し、メール本文に含まれた単語を元に提供する情報を選択し、メール本文中の単語にリンク情報として付加する事により、利用者に適切な情報の提供を行うリンク情報付加装置及びリンク情報付加方法を提供することを目的とする。
【課題を解決するための手段】
【０００７】
かかる目的を達成するために、請求項１記載の発明は、メール機能を有する利用者端末から、メール受信要求があった場合、メールスプールから該当メールデータを取り出した後、メール文中にリンク情報を挿入して利用者端末に出力するメール生成手段を有することを特徴とする。
【０００８】
請求項２記載の発明は、請求項１記載の発明において、利用者端末は、ＰＯＰ又はＩＭＡＰプロトコルを利用してメールの購読を可能とする、移動体通信端末装置、コンピュータ、又はゲーム機器のうちのいずれかであることを特徴とする。
【０００９】
請求項３記載の発明は、請求項１記載の発明において、メール生成手段は、メールスプールから取り出したメールデータを、メール文中にリンクタグを付加したＨＴＭＬ形式のデータに変換することを特徴とする。
【００１０】
請求項４記載の発明は、請求項１記載の発明において、メールスプールは、ＳＭＴＰプロトコルによりメールの送受信を行うＭＴＡが有する、利用者端末のメールスプールであることを特徴とする。
【００１１】
請求項５記載の発明は、請求項１又は４記載の発明において、メールスプールは、ＰＯＰ又はＩＭＡＰプロトコルによる、メール生成手段からの接続要求に対し、該当するメールデータを出力することを特徴とする。
【００１２】
請求項６記載の発明は、請求項１から５のいずれか１項に記載の発明において、利用者端末の利用者についての個人情報が登録されている利用者個人情報記憶手段をさらに有し、個人情報は、利用者端末に提供すべき情報の検索条件として利用されることを特徴とする。
【００１３】
請求項７記載の発明は、請求項１から６のいずれか１項に記載の発明において、利用者端末に提供する提供情報をオブジェクト毎に記憶する情報素材記憶手段をさらに有し、提供情報は、コンテンツ自体の一次情報と、一次情報に付加され、個人情報を含む二次情報とで構成されることを特徴とする。
【００１４】
請求項８記載の発明は、請求項１記載の発明において、メール生成手段は、メールスプールから取得したメールデータの文を形態素解析してメール文中に存在する単語を抽出する単語抽出部と、単語抽出部から抽出単語を受け取り、利用者個人情報記憶手段から抽出された、個人情報と併せて、検索条件のキーワードとして、情報素材記憶手段から提供情報を検索して抽出するリンク情報生成部と、メール文中に存在する、抽出単語に対してＨＴＭＬデータのリンクタブを付加するとともに、キーワード群をＵＲＬのパラメータとしてリンク先ＵＲＬに付加するＨＴＭＬデータ生成手段と、を有することを特徴とする。
【００１５】
請求項９記載の発明は、請求項１から８のいずれか１項に記載の発明において、利用者端末によって、メール生成手段により出力されたメール文上に存在するリンク先が選択された場合、情報素材記憶手段から提供情報を検索し、リンク先となるＨＴＭＬの出力データを生成するリンク先ＨＴＭＬ生成手段をさらに有することを特徴とする。
【００１６】
請求項１０記載の発明は、請求項１から９のいずれか１項に記載の発明において、利用者端末によって、メール生成手段により出力されたメール文上に存在するリンク先が選択された場合、リンク先のＵＲＬとともに、パラメータ情報を検索条件として、情報素材記憶手段から該当する提供情報を検索し抽出する情報抽出部と、情報抽出部が抽出した提供情報から一次情報を抜き出して、ＨＴＭＬ文を生成するＨＴＭＬ文生成部と、を有することを特徴とする。
【００１７】
請求項１１記載の発明は、利用者端末からメール受信要求を受け、メールサーバに対してメールデータの取得要求を行い、メールデータを取得し、取得したメールデータに対し、形態素解析を行い、メール文中の所定の単語を複数抽出し、利用者端末から接続してきた際のアカウントを基に、利用者の個人情報を利用者個人情報記憶手段から取得し、抽出された単語のうちから１つを取り出し、取り出した単語と、取得した個人情報とを検索条件として併せ、情報素材記憶手段に対して、検索条件に該当する提供情報が存在するかを検索し、該当する提供情報が存在する場合、検索条件をリンクの為のリンク情報として記録し、取り出された単語の検索処理が終わった後、その他の単語が存在するか確認し、該当する情報素材データが存在しない場合は、その他の単語が存在するか確認し、全ての単語に対して検索が終了したら、メール本文中から、リンク情報として候補が挙がった単語を検索し、検索された単語をリンクタブで囲むことによって、リンクタブを挿入し、利用者端末に対し、リンクタブを挿入したメールデータの出力を行うことを特徴とする。
【００１８】
請求項１２記載の発明は、請求項１１記載の発明において、形態素解析の際、リンクタブ内に既に存在する単語を抽出対象から除外することを特徴とする。
【００１９】
請求項１３記載の発明は、請求項１１又は１２記載の発明において、利用者端末によって、リンクタブの接続要求が行われた場合、要求されたＵＲＬから変数を抽出し、変数を元に、情報素材記憶手段から提供情報を検索して抽出し、抽出された提供情報から、提供すべきコンテンツである一次情報を抽出してＨＴＭＬデータを生成し、利用者端末に対し、生成されたＨＴＭＬデータの出力を行うことを特徴とする。
【００２０】
請求項１４記載の発明は、請求項１３記載の発明において、検索結果、提供情報が複数存在する場合、一次情報を１つのＨＴＭＬデータに統合することを特徴とする。
【発明の効果】
【００２１】
本発明によれば、第１の効果は、従来のダイレクトメールによる情報提供方法に比べ、より利用者が必要又は関心を持っている情報をできることにある。その理由は、利用者がやりとりを行っているメールには、利用者が意志を持って文章のやりとりを行っているために、本人が関心や興味をもっている内容が書かれている。従って、メール本文中の言葉に関連した情報を提供する事により、必然的に関心や興味を持っている情報を提供できるからである。
【００２２】
また、第２の効果は、情報が存在するということを、より利用者に認識してもらえることにある。その理由は、ダイレクトメールの場合本文を読まずに放置される可能性はあるが、利用者がやりとりを行っているメールは、必ず本人が本文を購読するからである。利用者は本文中にリンクがあることを発見し、おそらくその言葉に関する情報がリンク先にあると言うことを容易に想像させることができる。
【００２３】
また、第３の効果は、ダイレクトメールに比べて、利用者の心象を損なう事を削減できることにある。その理由は、ダイレクトメールは情報が記載された１つのメール文書であるため、メール領域を圧迫し、メール件数を増加させる事になる。その為、利用者は、ダイレクトメールの処理に手間をかけることとなる。それに対し、本発明は利用者が利用しているメールにリンク情報のみ追加するため、メールサイズの増加も比較的少なく、又メール件数自体も増加させることがないからである。
【発明を実施するための最良の形態】
【００２４】
以下、本発明を実施するための最良の形態について添付図面を参照して詳細に説明する。
【００２５】
まず、本発明の実施例の構成について図面を参照して詳細に説明する。図１に示すように、本実施例のリンク情報付加装置は、メール生成機構２と、リンク先ＨＴＭＬ生成機構４と、前記各機構を制御する制御手段（図示せず）とから構成されている。なお、以下に説明する実施例における制御手段は、各機構にそれぞれに設ける構成とした。メール端末１は、リンク情報付加装置とネットワークを介してメールの送受信等の通信を行う。
【００２６】
本実施例では、利用者（ユーザ）はメールの購読を行う際に、メール機能を有する端末を使用して、リンク情報を挿入したメールを生成するメール生成機構２に対して、メールの購読要求（メール受信要求）を行う。メール生成機構２は、メールスプール６から利用者のメール本文を取り出した後、リンク情報を挿入し、メール本文出力３として利用者にリンク情報の提供を行う。
【００２７】
メール端末１は、利用者が電子メールを利用するためのクライアント装置であり、本実施例では携帯端末、ＰＤＡ等の移動体通信端末装置、ＰＣ（パーソナルコンピュータ）、及びゲーム機器等を想定している。このクライアント装置は、ＰＯＰやＩＭＡＰ等の電子メール受信用のプロトコルを利用してメールの購読が可能な機能を有しており、電子メールソフトやＷｅｂメールがこれに該当する。
【００２８】
メール本文出力３は、メール生成機構２によって、メール本文にリンクタグを付加されたＨＴＭＬ形式のデータに変換する処理である。このデータは、メール端末１からのＰＯＰやＩＭＡＰ接続要求によってメール端末１に出力される。ＭＩＭＥ対応の電子メールクライアントやブラウザを利用したＷｅｂメールシステム上で閲覧する事が可能である。
【００２９】
リンク先ＨＴＭＬ出力５は、リンク先ＨＴＭＬ生成機構４によって、メール本文出力３によってメール端末１に表示された電子メール本文に付加されたリンクを辿ることにより表示されるＨＴＭＬデータを出力する処理である。
【００３０】
メールスプール６は、ＳＭＴＰプロトコルによりメールの送受信を行うＭＴＡが有する、ユーザのメールスプールである。ＰＯＰやＩＭＡＰのプロトコルによるメール生成機構２からの接続要求に対し、該当するメールデータを出力する事が可能である。
【００３１】
ユーザ情報ＤＢ（データベース）７は、利用者の個人情報が登録されているデータベースである。年齢や性別、住所等の利用者個人についての各種情報が存在し、提供すべき情報の抽出条件としての利用が可能である。
【００３２】
情報素材ＤＢ（データベース）８は、利用者に提供すべき情報である情報素材データ（提供情報）をオブジェクト毎にデータベース化したものである。情報素材データ（提供情報）は、提供すべきコンテンツ自体の一次情報と、それに付加された検索キーとなる二次情報とで構成される。一次情報としては広告や情報の本文が登録される。二次情報としては、キーワード、エリア、日時や期間、対象年齢等の項目が存在する。
【００３３】
メール生成機構２は、利用者に提供するリンク情報を文中に付加したメールを生成する手段であり、メール端末１の要求に対して、該当するメールデータをメールスプール６から抽出し、リンク情報を付加したＨＴＭＬ形式のデータに変換してメール本文として利用者のメール端末１に提供を行う。メール生成機構２は、単語抽出機構２１と、リンク情報生成機構２２と、ＨＴＭＬデータ生成機構２３と、上記各機構を制御する制御手段（図示せず）から構成されている。
【００３４】
単語抽出機構２１は、メール文中の単語を抽出する手段であり、メールスプール６から利用者のメールデータを読みとり、メールデータの本文を形態素解析する事により、メール文中の単語を抽出する。抽出された単語はリンク情報生成機構２１へ引き渡される。なお、本実施例ではメール本文中の単語を抽出対象としたが、メール題名の文中の単語も抽出対象としてもよい。
【００３５】
リンク情報生成機構２２は、リンク情報を生成する手段であり、単語抽出機構２１から引き渡された単語と、ユーザ情報ＤＢ７から抽出された個人情報とを検索条件のキーワードとして、情報素材ＤＢ８から必要となる提供情報を抽出する機能を有する。該当する提供情報が検索されたなら、検索条件のキーワード群と元となる単語の情報をＨＴＭＬデータ生成機構２３へ引き渡す。
【００３６】
ＨＴＭＬデータ生成機構２３は、ＨＴＭＬデータを生成する手段であり、メールスプール６から利用者のメールデータを読みとり、メール本文中にリンクタグを付加する機能を有する。メール本文中に存在する、リンク情報生成機構２２から引き渡された単語を見つけ出し、単語に対してＨＴＭＬのリンク参照タブを付加する。リンク情報生成機構２２から引き渡されたキーワード群をＵＲＬのパラメータとしてリンク先ＵＲＬに付加する。
【００３７】
リンク先ＨＴＭＬ生成機構４は、リンク先のＨＴＭＬを生成する手段であり、メール本文出力３上に存在するリンク先を選択する事により、情報素材ＤＢ８から情報を検索し、リンク先となるＨＴＭＬ出力５のデータを生成する。リンク先ＨＴＭＬ生成機構４は、情報抽出機構４１と、ＨＴＭＬ生成機構４２と、前記各機構を制御する制御手段（図示せず）から構成されている。
【００３８】
メール本文出力３上に存在するリンク先を選択した際、リンク先のＵＲＬとともに、検索の為のパラメータ情報を引数として、情報抽出機構４１を呼び出す。情報抽出機構４１は、情報を抽出する手段であり、パラメータ情報を検索条件として、情報素材ＤＢ８から該当するデータを抽出する。抽出されたデータをＨＴＭＬ生成機構４２へ引き渡す。
【００３９】
ＨＴＭＬ生成機構４２は、ＨＴＭＬデータを生成する手段であり、情報抽出機構４１から引き渡された検索結果のデータを元にＨＴＭＬデータの作成を行う。検索結果のデータから一次情報を抜き出し、データが複数存在する場合は１つにまとめて、ＨＴＭＬ文を生成する。
【００４０】
次に、図２のサンプル図及び図３、図４のフローチャートを参照して本発明の実施例の動作について詳細に説明する。図３は第１の処理動作を示し、図４は第２の処理動作を示す。
【００４１】
（第１の処理動作）
まず、クライアント装置であるメール端末１からリンク情報付加装置に対してＰＯＰやＩＭＡＰによるメール受信要求がくる（図３のステップＡ１）。次に、メールサーバに対し、ＰＯＰやＩＭＡＰによるメールデータの取得要求を行い、メールデータを取得する（ステップＡ２）。そして、取得したメールデータに対し、形態素解析を行い、メール文中の名詞を抽出する。この時リンクタブ内に既に存在する名詞は、リンクタブ中に記入できないため、抽出対象から除外する（ステップＡ３）。図２の例では、メール本文が「今度の土曜日、花火を見に行きませんか？」の場合であるので、名詞として「今度」、「土曜日」、「花火」が抽出される。なお、本実施例では、抽出する単語を名詞としたが、抽出対象はこれに限られるものではなく他の品詞や文節等の単位でもよい。
【００４２】
次に、クライアント装置から接続してきた際のアカウントを基に、利用者の個人情報をユーザ情報ＤＢ６から取得する（ステップＡ４）。図２の例では、個人情報として、性別は「男性」、住所は「東京」等の個人情報を入手できる。なお、入手できる個人情報はこれらに限られるものではない。
【００４３】
次に、ステップＡ３でメール本文から抽出された名詞である「今度」、「土曜日」、「花火」のうちから１つを取り出す（ステップＡ５）。図２の例では「花火」を抜き出すとする。ステップＡ５で抜き出した名詞「花火」と、ステップＡ４で取得した個人情報とを併せて、情報素材ＤＢ７に対して、条件に該当する情報素材データが存在するか検索を行う。
【００４４】
もし、該当する情報素材データが存在する場合（ステップＡ６／ＹＥＳ）、ステップＡ７の処理を行い、該当する情報素材データが存在しない場合は（ステップＡ６／ＮＯ）、ステップＡ８の処理を行う。図２の場合、「花火」と個人情報とを合わせた結果、検索対象の情報素材データが存在したため、ステップＡ７の処理を行う。
【００４５】
検索対象の情報素材データが存在した場合、その際の検索条件（名詞、個人情報）をリンクの為の情報として記録を行う（ステップＡ７）。図２の場合、検索キーとして「花火」、対象エリアとして「東京」、対象年齢として「５−９０」がリンク情報として記録される。
【００４６】
取り出された１つの名詞の検索処理が終わった後、残りの名詞が存在するか確認を行う。もし、他の名詞が存在する場合はステップＡ５の処理を行い、存在しない場合はステップＡ８の処理を行う（ステップＡ８）。図２の場合、まだ、「今度」、「土曜日」という名詞が存在するのでステップＡ５の処理を行う。
【００４７】
全ての名詞に対して検索が終了したら、メール本文中から、リンク情報として候補が挙がった名詞を検索し、名詞をリンクタブで囲むように、タブの挿入を行う（ステップＡ９）。最後に、接続要求を行ったクライアント装置に対し、メールデータの出力を行う（ステップＡ１０）。
【００４８】
（第２の処理動作）
メールを受信したメールクライアントの本文には、リンク情報が挿入されることとなる。ユーザがリンク情報を選択する事により、クライアントから本システムに対して、ＨＴＴＰによるリンク先のＨＴＭＬの接続要求が行われる（図４ステップＢ１）。
【００４９】
次に、要求されたＵＲＬから変数を抽出する（ステップＢ２）。図２の場合、検索キーとして「花火」、対象エリアとして「東京」、対象年齢として「５−９０」を変数として抽出する。次に、ステップＢ２で抽出された変数を元に、情報素材ＤＢ７に対し、情報の抽出を行う（ステップＢ３）。
【００５０】
次に、ステップＢ３で抽出されたデータより、一次情報となる部分を抜き出し、これをＨＴＭＬ形式に生成する。ステップＢ３の検索結果が複数存在する場合、一次情報を１つのＨＴＭＬデータに統合する処理を行う（ステップＢ４）。
【００５１】
最後に、接続要求を行ったクライアントに対し、ステップＢ４で生成されたＨＴＭＬデータの出力を行う（ステップＢ５）。
【００５２】
次に、本発明の実施例の効果について説明する。本発明の実施例では、受信メールの本文中の言葉に関連した広告等の情報を提供出来るため、より利用者が必要としている情報を提供する事ができる。
【００５３】
また、本発明の実施例では、さらに、広告等の情報を受信メール中の本文中にリンクで埋め込むように構成されているため、利用者は必ず本文を閲覧し、そこに広告がリンク先にある事を認識してもらうことができる。
【００５４】
以上、本発明の実施例について説明したが、上記実施例に限定されるものではなく、その要旨を逸脱しない範囲において種々の変形が可能である。
【産業上の利用可能性】
【００５５】
本発明によれば、メールサービスを提供しているプロバイダに対して、ダイレクトメールに変わる、又は平行して実施可能な広告手段とした用途に適用できる。また、情報素材ＤＢ７に辞書の情報を利用することにより、メール本文中に理解不能な用語があった場合、リンクを辿れば用語の説明を利用できるサービスも適用可能である。
【図面の簡単な説明】
【００５６】
【図１】本発明の実施例であるリンク情報付加システムの構成を示す図である。
【図２】本発明の実施例であるリンク情報付加システムの処理の一例を示すイメージ図である。
【図３】本発明の実施例であるリンク情報付加システムの第１の処理動作を示すフロー図である。
【図４】本発明の実施例であるリンク情報付加システムの第２の処理動作を示すフロー図である。
【符号の説明】
【００５７】
１    メール端末
２    メール生成機構
３    メール本文出力
４    リンク先ＨＴＭＬ生成機構
５    ＨＴＭＬ出力
６    メールスプール
７    情報素材ＤＢ
８    ユーザ情報ＤＢ
２１    単語抽出機構
２２    リンク情報生成機構
２３    ＨＴＭＬデータ生成機構
４１    情報抽出機構
４２    ＨＴＭＬ生成機構
【図１】
2005267187.tif 000003
【図２】
2005267187.tif 000004
【図３】
2005267187.tif 000005
【図４】
2005267187.tif 000006